(57)【要約】      （修正有）【課題】電線の突出部の損傷を抑制することができる技術を提供する。【解決手段】複数の素線１４０が撚り合わせられて設けられる撚線層１３０を有し、撚線層は、複数の素線の外周面によって断面円弧状に構成される平滑部１５２と、複数の素線のうちの１つの素線に設けられ、平滑部の外側に素線の径方向に突出し、素線の軸方向に沿って螺旋状に連続して設けられる突出部１５４と、を有する電線１００と、電線が複数層に亘って巻回される円筒状の胴体部を有するドラム２００と、電線の層間に挿入される層間材と、を有し、同じ層内で隣接する電線の突出部同士が互いに接触することがないように、胴体部の直径および層間材の厚さが設定される。【選択図】図２
2018047994.tif 000002
【特許請求の範囲】
【請求項１】
複数の素線が撚り合わせられて設けられる撚線層を有し、前記撚線層は、前記複数の素線の外周面によって断面円弧状に構成される平滑部と、前記複数の素線のうちの１つの素線に設けられ、前記平滑部の外側に前記素線の径方向に突出し、前記素線の軸方向に沿って螺旋状に連続して設けられる突出部と、を有する電線と、
前記電線が複数層に亘って巻回される円筒状の胴体部を有するドラムと、
前記電線の層間に挿入される層間材と、を有し、
同じ層内で隣接する前記電線の前記突出部同士が互いに接触することがないように、前記胴体部の直径および前記層間材の厚さが設定される電線巻き付きドラム。
【請求項２】
前記突出部を含めた前記電線の直径をｄｈ、
前記突出部が前記平滑部の外側に前記素線の径方向に突出する高さをｈ、
前記電線の軸方向における１周期分の前記突出部のピッチをｐ、
前記胴体部の直径をＤＤ、
前記電線の層数をｎ、
ｎ層の前記電線の層下に挿入される前記層間材の厚さをｔｎ、
前記電線を断面視したときの、前記電線の基準の径方向と前記電線の中心から前記突出部の中心に向かう方向とのなす角度をθ、
同じ層内で隣接する２つの前記電線の前記突出部同士が互いに正対する位置から、同じ層内で隣接する２つの前記電線のうちの一方の前記電線の前記突出部が他方の前記電線側に最も突出する位置までの、前記一方の電線の前記突出部が変位した前記角度θを前記突出部のズレ角度θＡ、
同じ層内で隣接する前記電線の前記突出部同士が接触し且つ該電線同士の間隔が前記突出部の高さｈと一致するときの前記ズレ角度θＡを最小ズレ角度θＡ０としたとき、
式（１）によって求められる、前記突出部のピッチｐに対する、ｎ層の前記電線が前記胴体部に巻回されるときの周長の比率Ｆｎが、全てのｎ層について、式（２）および式（３）を満たす請求項１に記載の電線巻き付きドラム。
【数１】
2018047994.tif 000036
【数２】
2018047994.tif 000037
【数３】
2018047994.tif 000038
【請求項３】
前記突出部の高さｈは、前記素線の周方向の前記突出部の幅と等しく、
前記電線の前記平滑部の半径をｒとしたとき、
前記最小ズレ角度θＡ０は、式（４）によって求められる請求項２に記載の電線巻き付きドラム。
【数４】
2018047994.tif 000039
【請求項４】
前記電線を断面視したときに、前記電線の中心から前記電線の基準の径方向に延在する直線に前記突出部の角部を投影した点と前記電線の中心との間の距離が前記電線の半径と一致するときの、前記角度θを臨界角度θＣとしたとき、
前記比率Ｆｎが、全てのｎ層について、式（５）および式（６）を満たす請求項２又は３に記載の電線巻き付きドラム。
【数５】
2018047994.tif 000040
【数６】
2018047994.tif 000041
【請求項５】
複数の素線が撚り合わせられて設けられる撚線層を有し、前記撚線層は、前記複数の素線の外周面によって断面円弧状に構成される平滑部と、前記複数の素線の１つに設けられ、前記平滑部の外側に前記素線の径方向に突出し、前記素線の軸方向に沿って螺旋状に連続して設けられる突出部と、を有する電線を、ドラムの胴体部の外周に巻き取るドラムへの電線巻き取り方法であって、
前記電線の層間に層間材を挿入しつつ、前記胴体部の外周に前記電線を複数層に亘って巻回する工程を有し、
同じ層内で隣接する前記電線の前記突出部同士が互いに接触することがないように、前記胴体部の直径および前記層間材の厚さを設定するドラムへの電線巻き取り方法。
【発明の詳細な説明】
【技術分野】
【０００１】
本発明は、電線巻き付きドラム、およびドラムへの電線巻き取り方法に関する。
【背景技術】
【０００２】
電線の外周面に着雪が生じると、雪の重さによって電線が垂れ下がったり、電線が切れて停電が生じたりするおそれがある。このような電線の外周面への着雪の増加を抑制するため、突出部（ヒレ）を有する電線（ヒレ付き電線）が知られている（例えば特許文献１）。
【先行技術文献】
【特許文献】
【０００３】
【特許文献１】特開平５−１５９６２６号公報
【発明の概要】
【発明が解決しようとする課題】
【０００４】
突出部を有する電線を複数層に亘ってドラムに巻き取るとき、ドラムの胴体部の直径などの条件によっては、同じ層内で隣接する電線の突出部同士が互いに接触してしまうことがあった。電線の突出部同士が互いに接触すると、電線をドラムに巻き取るときや、電線をドラムから引き出すとき（延線時）において、突出部が損傷する可能性があった。
【０００５】
本発明の目的は、電線の突出部の損傷を抑制することができる技術を提供することである。
【課題を解決するための手段】
【０００６】
本発明の一態様によれば、
複数の素線が撚り合わせられて設けられる撚線層を有し、前記撚線層は、前記複数の素線の外周面によって断面円弧状に構成される平滑部と、前記複数の素線のうちの１つの素線に設けられ、前記平滑部の外側に前記素線の径方向に突出し、前記素線の軸方向に沿って螺旋状に連続して設けられる突出部と、を有する電線と、
前記電線が複数層に亘って巻回される円筒状の胴体部を有するドラムと、
前記電線の層間に挿入される層間材と、を有し、
同じ層内で隣接する前記電線の前記突出部同士が互いに接触することがないように、前記胴体部の直径および前記層間材の厚さが設定される電線巻き付きドラムが提供される。
【０００７】
本発明の他の態様によれば、
複数の素線が撚り合わせられて設けられる撚線層を有し、前記撚線層は、前記複数の素線の外周面によって断面円弧状に構成される平滑部と、前記複数の素線の１つに設けられ、前記平滑部の外側に前記素線の径方向に突出し、前記素線の軸方向に沿って螺旋状に連続して設けられる突出部と、を有する電線を、ドラムの胴体部の外周に巻き取るドラムへの電線巻き取り方法であって、
前記電線の層間に層間材を挿入しつつ、前記胴体部の外周に前記電線を複数層に亘って巻回する工程を有し、
同じ層内で隣接する前記電線の前記突出部同士が互いに接触することがないように、前記胴体部の直径および前記層間材の厚さを設定するドラムへの電線巻き取り方法が提供される。
【発明の効果】
【０００８】
本発明によれば、電線の突出部の損傷を抑制することができる。
【図面の簡単な説明】
【０００９】
【図１】本発明の一実施形態に係る電線の軸方向と直交する断面図である。
【図２】本発明の一実施形態に係る電線巻き付きドラムを示す概略正面図である。
【図３】（ａ）は、本発明の一実施形態に係る電線巻き付きドラムの軸方向に沿った概略断面図であり、（ｂ）は、層間材を無視したときの電線の積層状態を示す概略断面図である。
【図４】（ａ）は、電線の概略正面図であり、（ｂ）は、電線の一部を拡大した、電線の軸方向に直交する概略断面図である。
【図５】端数Ｆｎ−Ｉｎｔ（Ｆｎ）に対する、同じ層内で隣接する電線の配置を示す概略図である。
【図６】同じ層内で隣接する電線の突出部同士が接触し、且つ、該電線同士の間隔が突出部の高さと一致するときの電線の配置を示す概略図である。
【図７】同じ層内で隣接する電線同士が、それらの突出部同士が互いに正対する位置から電線の軸方向に突出部の突出長さだけずれたときの電線の配置を示す概略図である。
【発明を実施するための形態】
【００１０】
＜発明者等の得た知見＞
従来、突出部を有する電線（ヒレ付き電線）において、隣接する電線の突出部同士が互いに接触することを抑制するため、以下のような対策が採られてきた。しかしながら、それぞれの対策において、固有の課題が生じていた。
【００１１】
（対策１）
対策１として、例えば、同じ層内で隣接する電線同士の間隔を広くしていた。しかしながら、この場合のように、隣接する電線同士の間隔を広くすると、電線をドラムから引き出す際に、上の層の電線が下の層の電線間の間隙に落ち込み（いわゆる段落ち）、ドラムへの電線の巻き状態が崩れ、電線をドラムから引き出すことができなくなる可能性があった。
【００１２】
（対策２）
対策２として、例えば、上の層の電線が下の層の電線間の間隙に落ち込むことを抑制するため、同じ層内で隣接する電線同士の間隔を狭くしていた。しかしながら、この場合でも、対策１に比べると頻度は少ないものの、電線をドラムから引き出す際の張力変動などにより、下の層に局所的な応力が加わり、段落ちが発生する可能性があった。このときは、上の層の電線が下の層の電線間に割り込み、下の層の電線がドラムの軸方向にずれる際に、下の層の電線が同じ層内で隣接する電線と接触（接近）し、これらの電線の突出部に損傷が生じる可能性があった。
【００１３】
（対策３）
対策３として、例えば、電線の全長に亘って保護材を沿わせながら、電線をドラムに巻き取っていた。しかしながら、この場合では、電線をドラムに巻き取る際の作業性が悪かった。また、電線をドラムから引き出す際においても保護材を取り外す作業が必要となり、時間がかかっていた。
【００１４】
本発明は、本発明者等が見出した上記知見に基づくものである。
【００１５】
＜本発明の一実施形態＞
（１）電線巻き付きドラム
本発明の一実施形態に係る電線巻き付きドラム１０について、図１〜図３を用いて説明する。図１は、本実施形態に係る電線の軸方向と直交する断面図である。図２は、本実施形態に係る電線巻き付きドラムを示す概略正面図である。なお、図２は、隣接する電線１００の突出部１５４が理想的に接触しないように配置される場合を図示している。図３（ａ）は、本実施形態に係る電線巻き付きドラムの軸方向に沿った概略断面図であり、（ｂ）は、層間材を無視したときの電線の積層状態を示す概略断面図である。なお、図３（ａ）および（ｂ）では、電線１００における突出部１５４を省略している。
【００１６】
（電線）
図１に示すように、本実施形態での電線１００は、いわゆるヒレ付き電線として構成され、突出部１５４を有することで、電線１００の外周面への着雪を抑制するよう構成されている。具体的には、電線１００は、例えば、鋼心部１１０と、複数の撚線層１３０と、を有している。
【００１７】
なお、以下において、電線１００（または素線１４０）の「軸方向」とは、電線１００の中心軸の方向のことをいい、電線１００の長手方向と言い換えることができる。また、電線１００（または素線１４０）の「径方向」とは、電線１００の軸方向に垂直な方向のことをいい、電線１００の短手方向と言い換えることができる。また、電線１００（または素線１４０）の「周方向」とは、電線１００の外周に沿った方向のことをいう。
【００１８】
鋼心部１１０は、電線１００の中心に設けられ、架線時に電線１００の張力を負担するテンションメンバとして機能するよう構成されている。具体的には、鋼心部１１０は、電線１００の軸方向に延在して設けられ、複数の心線１２０が撚り合わせられることにより構成されている。心線１２０のそれぞれの断面形状は、例えば、円形となっている。心線１２０は、例えば、アルミ覆鋼線（ＡＣ線）として構成されている。
【００１９】
撚線層１３０は、送電時に主に電流を流す導体部分として構成されている。撚線層１３０は、複数の導電性の素線１４０が鋼心部１１０の外側に螺旋状に撚り合わせられることにより構成されている。撚線層１３０を構成する複数の素線１４０のそれぞれは、例えば、ＡｌまたはＡｌ合金からなっている。
【００２０】
撚線層１３０は、例えば、鋼心部１１０の中心軸を中心として同心円状に複数積層されている。本実施形態では、例えば、撚線層１３０は、２層設けられている。
【００２１】
各撚線層１３０を構成する複数の素線１４０のそれぞれは、例えば、いわゆる異型線として構成され、それぞれの断面は、扇形（セグメント形）となっている。複数の素線１４０のそれぞれは、（電線１００の断面視で）円弧状に凹む内周面１４１と、内周面１４１の反対側に円弧状に突出する外周面１４２と、内周面１４１および外周面１４２を繋ぐ側面１４３と、を有している。複数の素線１４０のそれぞれの側面１４３は、鋼心部１１０の径方向（電線１００の径方向）に沿うように配置されている。また、複数の素線１４０は、互いに側面１４３で接して鋼心部１１０の周方向（電線１００の周方向）に並べられている。これにより、撚線層１３０は、電線１００の軸方向から見て、鋼心部１１０の外周を囲むように、円環状に構成されている。以下、最も外側に配置される撚線層１３０において、複数の素線１４０の外周面１４２によって断面円弧状で平滑に構成される部分を「平滑部１５２」とする。
【００２２】
最も外側に配置される撚線層１３０のうちの１つの素線１４０ａは、平滑部１５２の外側に該素線１４０ａの径方向に突出する突出部１５４を有している。突出部１５４は、素線１４０ａの軸方向に沿って螺旋状に連続して設けられている。
【００２３】
ここで、通常の断面円形の電線において、電線の鉛直上側の外周面上に雪が積もった場合、その雪が電線の外周面上を周方向に滑って電線の鉛直下側に回り込む。そして、電線の鉛直上側の外周面上に新たな雪が積もり、その雪が電線の鉛直下側に回り込むことを繰り返す。その結果、電線の外周面上に雪だるま式に大量の雪が付着した状態となる可能性がある。
【００２４】
そこで、本実施形態のように、電線１００が突出部１５４を有していることで、電線１００の外周面上に着雪が生じたとしても、突出部１５４によって電線１００の鉛直下側への雪の回り込みを抑制することができる。なお、突出部１５４によって止められた雪は、電線１００の鉛直下側に回り込むことがなく、電線１００の鉛直上側に積もっていくが、電線１００の鉛直上側に高く積もった雪は不安定であるため、風などの振動によって電線１００から雪を容易に落下させることができる。このようにして、電線１００の外周面上に雪だるま式の着雪増加を抑制することができる。
【００２５】
本実施形態での突出部１５４の断面形状は、特に限定されるものではないが、ここでは、例えば、略正方形である。すなわち、突出部１５４が平滑部１５２の外側に素線１４０ａの径方向に突出した高さは、素線１４０ａの周方向の突出部１５４の幅と等しくなっている。なお、断面視で突出部１５４の角部は、Ｒ形状となっていてもよい。
【００２６】
なお、本実施形態では、電線１００における突出部１５４の数は、１つである。
【００２７】
（電線巻き付きドラム）
図２および図３に示すように、本実施形態の電線巻き付きドラム１０は、例えば、電線１００と、ドラム２００と、層間材３００と、を有している。
【００２８】
ドラム２００は、円筒状の胴体部２２０を有している。胴体部２２０の外周には、電線１００が複数層に亘って巻回されている。
【００２９】
層間材３００は、電線１００の層間に挿入され、電線１００の積層方向に突出部１５４同士が接近しても互いに接触することを抑制するシート状の緩衝材として構成されている。具体的には、層間材３００は、例えば、布、紙（厚紙）、段ボール、プラスチックボード、プラスチックシートなどである。層間材３００の材質は、電線１００をドラム２００に巻き取る際または電線１００をドラム２００から引き出す際の作業性やコストなどに応じて選定される。
【００３０】
本実施形態では、同じ層内で隣接する電線１００同士の間隔は、例えば、該電線１００の直径未満となっている。電線１００同士の間隔が電線１００の直径以上であると、上層の電線１００が下層内で隣接する電線１００間に落ち込む現象（いわゆる段落ち）が生じる可能性がある。これに対して、電線１００同士の間隔を電線１００の直径未満とすることにより、電線１００の段落ちを抑制することができる。本実施形態では、同じ層内で隣接する２つの電線１００のうち、一方の電線１００の突出部１５４が、他方の電線１００の平滑部１５２に当接していることが好ましい。すなわち、同じ層内で隣接する電線１００同士の間隔は、突出部１５４が平滑部１５２の外側に素線１４０ａの径方向に突出する高さと等しくなっていることが好ましい。これにより、電線１００の段落ちを確実に抑制することができる。また、隣接する電線１００同士が可能な限り接近することで、ドラム２００に巻き付け可能な電線１００の全長を長くすることができる。
【００３１】
また、図３（ａ）に示すように、電線１００の任意の層数をｎとしたとき、例えば、ｎ層の電線１００は、ｎ−１層で隣接する２つの電線１００の両方に対して層間材３００を介して接している。言い換えれば、ｎ層の電線１００は、ｎ−１層との間に層間材３００を介在させた状態で、ｎ−１層内で隣接する２つの電線１００の間の中心の外側に巻回されている。これにより、ドラム２００の胴体部２２０の外周に電線１００を密に巻き取ることができ、電線巻き付きドラム１０の最外径を小さくすることができる。
【００３２】
（２）胴体部の直径および層間材の厚さの条件
本実施形態では、同じ層内で隣接する電線１００の突出部１５４同士が互いに接触することがないように、ドラム２００の胴体部２２０の直径および層間材３００の厚さが設定されている。以下、ドラム２００の胴体部２２０の直径および層間材３００の厚さの条件について詳細を説明する。
【００３３】
（突出部が平滑部から電線の基準の径方向に突出した部分の、電線の軸方向の長さについて）
まず、図４を用い、突出部１５４が平滑部１５２から電線１００の基準の径方向に突出した部分の、電線１００の軸方向の長さ（以下、「突出部１５４の突出長さ」ともいう）について説明する。図４（ａ）は、電線の概略正面図であり、（ｂ）は、電線の一部を拡大した、電線の軸方向に直交する概略断面図である。
【００３４】
図４（ｂ）において、電線１００の平滑部１５２の半径をｒ、突出部１５４が平滑部１５２の外側に素線１４０ａの径方向に突出した高さ（以下、突出部１５４の高さ）をｈとする。なお、突出部１５４の断面形状を正方形とし、すなわち、素線１４０ａの周方向の突出部１５４の幅を、突出部１５４の高さｈと等しいものとする。
【００３５】
また、電線１００を断面視したとき、電線１００の中心をＯとし、電線１００の中心Ｏから突出部１５４の中心に向かう直線と平滑部１５２の円弧との交点（つまり、突出部１５４の中心の底点）をＡとし、突出部１５４の中心の頂点をＢとし、突出部１５４の角部をＣとする。また、電線１００の中心Ｏから紙面上で真上に向かう方向を「電線１００の基準の径方向」としたとき、電線１００の中心Ｏから電線１００の基準の径方向に延在する直線と平滑部１５２の円弧との交点をＤとする。また、電線１００の中心Ｏから電線１００の基準の径方向に延在する直線に点Ｂを投影した点をＥとし、電線１００の中心Ｏから電線１００の基準の径方向に延在する直線に点Ｃを投影した点をＦとする。また、電線１００の中心から突出部１５４の中心に向かう方向と電線１００の基準の径方向とのなす角度（すなわち∠ＡＯＤ）をθとする。なお、電線１００の中心から突出部１５４の中心に向かう方向と電線１００の基準の径方向とのなす角度θは、以下において単に「突出部１５４の角度θ」という場合がある。
【００３６】
図４（ｂ）に示すように、ＯＥ＝（ｒ＋ｈ）ｃｏｓθ、ＥＦ＝（ｈ／２）ｓｉｎθであることから、ＯＦは、以下の式（７）で求められる。
【００３７】
【数１】
2018047994.tif 000003
【００３８】
ここで、ＯＦが電線１００の半径ｒと一致するときの突出部１５４の角度θを臨界角度θＣとする。なお、臨界角度θＣは、「突出部１５４が平滑部１５２から電線１００の基準の径方向に突出しない限界の角度」と言い換えることができる。臨界角度θＣは、以下の式（８）で求められる。
【００３９】
【数２】
2018047994.tif 000004
【００４０】
臨界角度θＣは、例えば、以下の式（９）で示される関数ｆ（θ）についてニュートン近似法を用いることで求めることができる。
【００４１】
【数３】
2018047994.tif 000005
【００４２】
式（９）を微分すると、以下の式（１０）が求められる。
【００４３】
【数４】
2018047994.tif 000006
【００４４】
関数ｆ（θ）の、θ＝θＣ−１での接線におけるθ軸切片θＣ−２は、以下の式（１１）により求められる。
【００４５】
【数５】
2018047994.tif 000007
【００４６】
さらに、関数ｆ（θ）の、θ＝θＣ−２での接線におけるθ軸切片θＣ−３は、以下の式（１２）により求められる。
【００４７】
【数６】
2018047994.tif 000008
【００４８】
これを繰り返すことにより算出されるθ軸切片は、関数ｆ（θ）のθ軸切片、すなわち臨界角度θＣに近づく。これにより、臨界角度θＣを求めることができる。
【００４９】
電線１００の軸方向における突出部１５４のピッチ（以下、突出部１５４のピッチ）をｐとしたとき、突出部１５４が平滑部１５２から電線１００の基準の径方向に突出した部分の、電線１００の軸方向の長さ（以下、突出部１５４の突出長さ）ｌは、臨界角度θＣを用いて、以下の式（１３）で求められる。
【００５０】
【数７】
2018047994.tif 000009
【００５１】
突出部１５４のピッチｐに対する、突出部１５４の突出長さｌの比率（以下、突出部１５４の突出率）ηは、以下の式（１４）で求められる。
【００５２】
【数８】
2018047994.tif 000010
【００５３】
突出部１５４のピッチｐに対する、突出部１５４の突出長さｌの比率ηは、突出部１５４の突出長さｌを突出部１５４の周期（突出部１５４のピッチ）で換算した値（突出部１５４の突出長さの周期換算値）に相当する。
【００５４】
（同じ層内で隣接する電線の突出部同士が、それらの周期が互いに一致する位置から電線の軸方向にずれたズレ量を突出部の周期で換算した値について）
次に、図３を用い、同じ層内で隣接する電線１００の突出部１５４同士が、それらの周期が互いに一致する位置から電線１００の軸方向にずれたズレ量を突出部１５４の周期で換算した値（後述の端数Ｆｎ−Ｉｎｔ（Ｆｎ））について説明する。
【００５５】
図３（ａ）において、突出部１５４を含めた電線１００の直径をｄｈ、ドラム２００の胴体部２２０の直径をＤＤ、ｎ層の電線１００の層下に挿入される層間材３００の厚さをｔｎとしたとき、ｎ層の電線１００がドラム２００の胴体部２２０に巻回されるときの層中心径Ｒｎは、以下の式（１５）で求められる。
【００５６】
【数９】
2018047994.tif 000011
【００５７】
なお、√３（ｎ−１）ｄｈの項については、以下のような意味を有している。図３（ｂ）に示すように、層間材３００を無視したとき、ｎ層の電線１００は、ｎ−１層内で隣接する２つの電線１００の両方に接している。このため、層間材３００を無視したとき、ｎ層の電線１００の中心と、ｎ−１層の２つの電線１００のそれぞれの中心とを結ぶと、正三角形が形成される。このことから、層間材３００を無視したときの、ｎ層の電線１００の層中心径は、ｎ−１層の電線１００の層中心径に√３ｄｈを足したものとなる（片側√３ｄｈ／２の２倍）。したがって、ｎ層の電線１００の層中心径は、１層目の層中心径（ＤＤ＋ｄｈ）に、√３（ｎ−１）ｄｈを足したものとなる。つまり、√３（ｎ−１）ｄｈの項は、層間材３００を無視したときの、ｎ層の電線１００の層中心径と、１層目の層中心径との差を意味している。
【００５８】
ｎ層の電線１００がドラム２００の胴体部２２０に巻回されるときの周長（以下、ｎ層の電線１００の周長）Ｌｎは、以下の式（１６）で求められる。
【００５９】
【数１０】
2018047994.tif 000012
【００６０】
突出部１５４のピッチｐに対する、ｎ層の電線１００の周長Ｌｎの比率Ｆｎは、以下の式（１）で求められる。
【００６１】
【数１１】
2018047994.tif 000013
【００６２】
突出部１５４のピッチｐに対する、ｎ層の電線１００の周長Ｌｎの比率Ｆｎは、ｎ層の電線１００の周長Ｌｎを突出部１５４の周期（突出部１５４のピッチ）で換算した値（ｎ層の電線１００の周長の周期換算値）を意味している。
【００６３】
ここで、比率Ｆｎの小数点以下の端数は、Ｆｎ−Ｉｎｔ（Ｆｎ）で与えられる。なお、関数Ｉｎｔ（ｘ）は、ｘの小数点以下の端数を切り捨てて整数を得る関数である。端数Ｆｎ−Ｉｎｔ（Ｆｎ）は、同じ層内で隣接する電線１００の突出部１５４同士が、それらの周期が互いに一致する位置から電線１００の軸方向にずれたズレ量を突出部１５４の周期で換算した値（電線１００のズレ量の周期換算値）に相当する。
【００６４】
（端数Ｆｎ−Ｉｎｔ（Ｆｎ）と、突出部同士の接触との関係について）
次に、図５を用い、簡単な例において、端数Ｆｎ−Ｉｎｔ（Ｆｎ）と、同じ層内で隣接する電線１００の突出部１５４同士の接触との関係について説明する。図５は、端数Ｆｎ−Ｉｎｔ（Ｆｎ）に対する、同じ層内で隣接する電線の配置を示す概略図である。
【００６５】
図５において、紙面横方向に四角形が連続して設けられている部分は、電線１００の平滑部１５２を示し、四角形が連続して設けられている部分から上下側に突出した円弧状の部分は、電線１００の突出部１５４を示している。つまり、当該円弧状の部分は、突出部１５４が平滑部１５２からドラム２００の軸方向に突出した部分（実長でｌ、周期換算値でηに相当）を示している。
【００６６】
また、図５では、同じ層内で隣接する２つの電線１００のうち、一方の電線１００を「線１」として最も上に示し、他方の電線１００を「線２」としてその下に示している。線２については、端数Ｆｎ−Ｉｎｔ（Ｆｎ）を０．１ごとに示している。
【００６７】
また、図５において、それぞれの電線１００の突出部１５４の突出率ηは、０．２０としている。また、図５には、２周期分（２ｐ）の電線１００が示されている。このうち、線１の突出部１５４が線２側に突出している領域を、太線の四角枠で囲んで示している。
【００６８】
図５に示すように、端数Ｆｎ−Ｉｎｔ（Ｆｎ）が０のとき、すなわち、同じ層内で隣接する電線１００の突出部１５４同士の周期が互いに一致しているとき、同じ層内で隣接する電線１００の突出部１５４同士は、それぞれ同じ方向を向いているので、互いに接触することがない。
【００６９】
端数Ｆｎ−Ｉｎｔ（Ｆｎ）を徐々に大きくしていくと、同じ層内で隣接する電線１００の突出部１５４同士が、それらの周期が互いに一致する位置から電線１００の軸方向にずれていく。
【００７０】
端数Ｆｎ−Ｉｎｔ（Ｆｎ）が０．５のとき、すなわち、同じ層内で隣接する電線１００の突出部１５４同士の周期が互いに半周期ずれているとき、同じ層内で隣接する電線１００の突出部１５４同士は、互いに正対することとなり、互いに接触してしまう。したがって、この場合では、電線１００の突出部１５４が損傷してしまう可能性がある。
【００７１】
端数Ｆｎ−Ｉｎｔ（Ｆｎ）が０．３５または０．６５のとき、同じ層内で隣接する電線１００の突出部１５４同士が接触し、且つ、該電線１００同士の間隔が突出部１５４の高さｈと一致する。したがって、端数Ｆｎ−Ｉｎｔ（Ｆｎ）が０．３５または０．６５のときが、同じ層内で隣接する電線１００の突出部１５４同士が接触する限界の位置となる。したがって、それぞれの電線１００の突出部１５４の突出率ηが０．２０であるとき、端数Ｆｎ−Ｉｎｔ（Ｆｎ）を例えば０以上０．３５未満または０．６５超１未満となるようにドラム２００の胴体部２２０の直径ＤＤや層間材３００の厚さｔｎを設定することにより、同じ層内で隣接する電線１００の突出部１５４同士が接触することを抑制することが可能となる。
【００７２】
さらに、端数Ｆｎ−Ｉｎｔ（Ｆｎ）が０．３０または０．７０のとき、すなわち、０．５−ηまたは０．５＋ηのとき、同じ層内で隣接する電線１００同士は、それらの突出部１５４同士が互いに正対する位置（端数０．５）から電線１００の軸方向に突出部１５４の突出長さ（実長でｌ、周期換算値でη）だけ、ずれている。言い換えれば、線１の突出部１５４が線２側に突出した位置から、線２の突出部１５４が線１側に突出した位置までの距離は、実長でｌ、周期換算値でηとなる。したがって、端数Ｆｎ−Ｉｎｔ（Ｆｎ）が０．３０または０．７０のとき、線１の突出部１５４が線２側に突出する領域と、線２の突出部１５４が線１側に突出する領域と、が重なる限界の位置となる。したがって、それぞれの電線１００の突出部１５４の突出率ηが０．２０であるとき、端数Ｆｎ−Ｉｎｔ（Ｆｎ）を例えば０以上０．３０未満または０．７０超１未満となるようにドラム２００の胴体部２２０の直径ＤＤや層間材３００の厚さｔｎを設定することにより、同じ層内で隣接する電線１００の突出部１５４同士が接触することをより確実に抑制することが可能となる。
【００７３】
（同じ層内で隣接する電線の突出部同士が接触することを抑制する条件１）
次に、図６を用いて、突出部１５４の突出率ηを一般化した場合において、同じ層内で隣接する電線１００の突出部１５４同士が接触することを抑制する条件１について説明する。図６は、同じ層内で隣接する電線の突出部同士が接触し、且つ、該電線同士の間隔が突出部の高さと一致するときの電線の配置を示す概略図である。なお、図６における線１および線２の表記方法は、図５の表記方法と同様である。
【００７４】
図６において、線１の突出部１５４が線２側に最も突出する位置での、断面視で線１の中心から突出部１５４の中心に向かう方向を「線１の基準の径方向」とし、その位置での線１の突出部１５４の角度（線１の基準の径方向と線１の中心から突出部１５４の中心に向かう方向とのなす角度）θを０とする。また、線１の軸方向の任意の位置（Ｘ−Ｘ’断面）での線１の突出部１５４の角度θをθ１とする。なお、線１の突出部１５４が線２側に突出しなくなるときの突出部１５４の角度θは、上述の臨界角度θＣである。
【００７５】
ここで、線１の軸方向の任意の位置（Ｘ−Ｘ’断面）での、線１の突出部１５４が線２側に突出する高さｆ１は、θ１の関数として、以下の式（１７）で求められる。
【００７６】
【数１２】
2018047994.tif 000014
【００７７】
一方で、線２の突出部１５４が線１側に最も突出する位置での、断面視で線２の中心から突出部１５４の中心に向かう方向を「線２の基準の径方向」とし、その位置での線２の突出部１５４の角度θを０とする。また、線２の軸方向の任意の位置（Ｘ−Ｘ’断面）での線２の突出部１５４の角度θをθ２とする。なお、線２の突出部１５４が線１側に突出しなくなるときの突出部１５４の角度θは、上述の臨界角度θＣである。
【００７８】
一方で、線２の軸方向の任意の位置（Ｘ−Ｘ’断面）での、線２の突出部１５４が線１側に突出する高さｆ２は、θ２の関数として、以下の式（１８）で求められる。
【００７９】
【数１３】
2018047994.tif 000015
【００８０】
線１および線２のそれぞれの軸方向の任意の位置（Ｘ−Ｘ’断面）での、線１の突出部１５４が線２側に突出する高さｆ１と、線２の突出部１５４が線１側に突出する高さｆ２との和ｆ１＋ｆ２は、以下の式（１９）で求められる。
【００８１】
【数１４】
2018047994.tif 000016
【００８２】
式（１９）において、三角関数の公式より、
ｃｏｓθ１＋ｃｏｓθ２＝２ｃｏｓ（（θ１＋θ２）／２）ｃｏｓ（（θ１−θ２）／２）
ｓｉｎθ１＋ｓｉｎθ２＝２ｓｉｎ（（θ１＋θ２）／２）ｃｏｓ（（θ１−θ２）／２）
と置き換えられる。
【００８３】
ここで、同じ層内で隣接する線１および線２の突出部１５４同士が互いに正対する位置から、線２の突出部１５４が線１側に最も突出する位置までの、線２の突出部１５４が変位した角度θを突出部１５４のズレ角度θＡとする。なお、突出部１５４のズレ角度θＡは、「同じ層内で隣接する線１および線２同士が、それらの突出部１５４同士が互いに正対する位置からずれたズレ量のθ換算値」と考えることもできる。
【００８４】
線１の突出部１５４と線２の突出部１５４とが互いに対向している範囲（図中太線四角枠内）においては、線１および線２のそれぞれの任意の位置で、θ１＋θ２＝θＡで一定である。
【００８５】
また、ｃｏｓ（（θ１−θ２）／２）は、θ１＝θ２＝θＡ／２のとき、最大値１となる。
【００８６】
以上より、ｆ１＋ｆ２の最大値ｆＭＡＸは、θＡの関数として、以下の式（２２）で求められる。なお、ｆＭＡＸは、線１と線２との間隔に相当する。
【００８７】
【数１５】
2018047994.tif 000017
【００８８】
同じ層内で隣接する線１および線２の突出部１５４同士が接触し、且つ、ｆＭＡＸ（すなわち線１と線２との間隔）が突出部１５４の高さｈと一致するときの、突出部１５４のズレ角度θＡを、最小ズレ角度θＡ０とする。このとき、最小ズレ角度θＡ０は、ｆＭＡＸ（θＡ０）＝ｈ、すなわち、以下の式（２３）で求められる。
【００８９】
【数１６】
2018047994.tif 000018
【００９０】
最小ズレ角度θＡ０は、例えば、以下の式（２４）で示される関数ｇ（θＡ０）についてニュートン近似法を用いて求めることができる。
【００９１】
【数１７】
2018047994.tif 000019
【００９２】
ここで、同じ層内で隣接する線１および線２の突出部１５４同士が接触し、且つ、線１と線２との間隔が突出部１５４の高さｈと一致するとき、同じ層内で隣接する線１および線２同士が、それらの突出部１５４同士が互いに正対する位置（端数１／２に相当）からずれたズレ量の周期換算値は、θＡ０／２πとなる。つまり、このときの、端数Ｆｎ−Ｉｎｔ（Ｆｎ）は、１／２＋θＡ０／２πとなる。
【００９３】
なお、線２の突出部１５４が線１側に最も突出する位置が、線１の突出部１５４が線２側に最も突出する位置を挟んで、図６での線２の突出部１５４が線１側に最も突出する位置と反対側に配置されている場合も考えられる。この場合では、同じ層内で隣接する線１および線２同士が、それらの突出部１５４同士が互いに正対する位置（端数１／２に相当）からずれたズレ量の周期換算値は、−θＡ０／２πとなる。したがって、このときの端数Ｆｎ−Ｉｎｔ（Ｆｎ）は、１／２−θＡ０／２πとなる。
【００９４】
以上のことから、同じ層内で隣接する線１および線２の突出部１５４同士が接触するときの、端数Ｆｎ−Ｉｎｔ（Ｆｎ）の範囲は、以下の式（２５）で求められる。
【００９５】
【数１８】
2018047994.tif 000020
【００９６】
よって、同じ層内で隣接する線１および線２の突出部１５４同士が接触することを抑制するためには、全てのｎ層について、以下の式（２）および（３）を満たすように、ドラム２００の胴体部２２０の直径ＤＤや層間材３００の厚さｔｎを設定すればよい。
【００９７】
【数１９】
2018047994.tif 000021
【００９８】
【数２０】
2018047994.tif 000022
【００９９】
これにより、同じ層内で隣接する線１および線２の突出部１５４同士が接触し、且つ、線１と線２との間隔が突出部１５４の高さｈと一致する位置から、線１および線２の突出部１５４同士を互いに遠ざけることができる。その結果、同じ層内で隣接する電線１００の突出部１５４同士が接触することを抑制することができる。
【０１００】
（同じ層内で隣接する電線の突出部同士が接触することを抑制する条件２）
次に、図７を用いて、突出部１５４の突出率ηを一般化した場合において、同じ層内で隣接する電線１００の突出部１５４同士が接触することを抑制する条件２について説明する。図７は、同じ層内で隣接する電線同士が、それらの突出部同士が互いに正対する位置から電線の軸方向に突出部の突出長さだけずれたときの電線の配置を示す概略図である。なお、図７における線１および線２の表記方法は、図６の表記方法と同様である。
【０１０１】
図７において、線１および線２同士が、それらの突出部１５４同士が互いに正対する位置から、線１および線２のそれぞれの軸方向に突出部１５４の突出長さ（実長でｌ）だけ、ずれている。このとき、同じ層内で隣接する線１および線２同士が、それらの突出部１５４同士が互いに正対する位置（端数１／２に相当）からずれたズレ量の周期換算値は、ηとなる。したがって、このときの端数Ｆｎ−Ｉｎｔ（Ｆｎ）は、１／２＋ηとなる。
【０１０２】
なお、線２の突出部１５４が線１側に最も突出する位置が、線１の突出部１５４が線２側に最も突出する位置を挟んで、図７での線２の突出部１５４が線１側に最も突出する位置と反対側に配置されている場合も考えられる。この場合、同じ層内で隣接する線１および線２同士が、それらの突出部１５４同士が互いに正対する位置（端数１／２に相当）からずれたズレ量の周期換算値は、−ηとなる。したがって、このときの端数Ｆｎ−Ｉｎｔ（Ｆｎ）は、１／２−ηとなる。
【０１０３】
以上のことから、（ドラム２００の軸方向から見て）線１の突出部１５４が線２側に突出する領域と、線２の突出部１５４が線１側に突出する領域とが、互いに重なるときの、端数Ｆｎ−Ｉｎｔ（Ｆｎ）の範囲は、以下の式（２６）で求められる。
【０１０４】
【数２１】
2018047994.tif 000023
【０１０５】
式（２６）に式（１４）を代入すると、以下の式（２７）が求められる。
【０１０６】
【数２２】
2018047994.tif 000024
【０１０７】
なお、別の観点から考えると、線１および線２同士が、それらの突出部１５４同士が互いに正対する位置から、線１および線２のそれぞれの軸方向に突出部１５４の突出長さ（実長でｌ）だけ、ずれているとき、突出部１５４のズレ角度θＡは、±２θＣとなる。このとき、同じ層内で隣接する線１および線２同士が、それらの突出部１５４同士が互いに正対する位置からずれたズレ量の周期換算値は、±θＡ／２π＝±θＣ／πとなる。これによっても、上記式（２７）を求めることができる。
【０１０８】
よって、同じ層内で隣接する線１および線２の突出部１５４同士が接触することをより確実に抑制するためには、全てのｎ層について、以下の式（５）および（６）を満たすように、ドラム２００の胴体部２２０の直径ＤＤや層間材３００の厚さｔｎを設定すればよい。
【０１０９】
【数２３】
2018047994.tif 000025
【０１１０】
【数２４】
2018047994.tif 000026
【０１１１】
これにより、（ドラム２００の軸方向から見て）線１の突出部１５４が線２側に突出する領域と、線２の突出部１５４が線１側に突出する領域と、が互いに重ならないように、線１および線２同士を軸方向にずらすことができる。その結果、同じ層内で隣接する電線１００の突出部１５４同士が接触することをより確実に抑制することができる。
【０１１２】
（３）ドラムへの電線巻き取り方法
次に、本実施形態に係るドラムへの電線巻き取り方法について説明する。なお、ドラムへの巻き取り方法は、電線巻き付きドラムの製造方法と考えてもよい。
【０１１３】
（ステップ１：電線準備工程）
まず、鋼心部１１０を構成する断面円形の心線１２０と、撚線層１３０を構成する断面扇形の素線１４０と、を準備する。なお、１本の素線１４０ａにおいて、素線１４０ａの径方向に突出する突出部１５４を形成しておく。そして、撚線機を用い、例えば７本の心線１２０を撚り合わせることにより、鋼心部１１０を形成する。そして、鋼心部１１０の外周を囲むように複数の素線１４０を撚り合わせることにより、撚線層１３０を形成する。このとき、最も外側に配置される撚線層１３０のうちの１本の素線１４０ａを、平滑部１５２の外側に突出部１５４が突出するように配置する。これにより、電線１００が製造される。
【０１１４】
（ステップ２：条件設定工程）
次に、上記のように製造された電線１００の仕様に基づいて、最小ズレ角度θＡ０および臨界角度θＣを求め、式（２）、式（３）、式（５）および式（６）を算出する。そして、後述する電線巻き取り工程において、同じ層内で隣接する電線１００の突出部１５４同士が互いに接触することがないように、ドラム２００の胴体部２２０の直径および層間材３００の厚さを設定する。具体的には、式（２）および（３）を満たすか、或いは、式（５）および（６）を満たすように、ドラム２００の胴体部２２０の直径ＤＤや層間材３００の厚さｔｎを設定し、それらの条件を満たすドラム２００および層間材３００を準備する。
【０１１５】
（ステップ３：電線巻き取り工程）
次に、ステップ２で準備したドラム２００を用い、電線１００の層間に層間材３００を挿入しつつ、ドラム２００の胴体部２２０の外周に電線１００を複数層に亘って巻回する。このとき、電線１００のそれぞれの層間ごとに、ステップ２で設定した条件を満たす厚さを有する層間材３００を挿入する。
【０１１６】
以上により、同じ層内で隣接する電線１００の突出部１５４同士が互いに接触することを抑制しつつ、ドラム２００に電線１００を巻き取ることができ、本実施形態の電線巻き付きドラム１０を製造することができる。
【０１１７】
（４）本実施形態に係る効果
本実施形態によれば、以下に示す１つ又は複数の効果を奏する。
【０１１８】
（ａ）同じ層内で隣接する電線１００の突出部１５４同士が互いに接触することがないように、ドラム２００の胴体部２２０の直径および層間材３００の厚さが設定されている。これにより、たとえ電線１００の延線工事の際に張力変動などが生じ、電線１００をドラム２００の軸方向にずらす力が働いたとしても、同じ層内で隣接する電線１００の突出部１５４同士が互いに接触することを抑制することができる。その結果、電線１００の突出部１５４同士の損傷を抑制することができる。
【０１１９】
（ｂ）同じ層内で隣接する電線１００の突出部１５４同士が互いに接触することを抑制することで、同じ層内での電線１００の間隔を広くする必要がなくなる。具体的には、同じ層内で隣接する電線１００同士の間隔を、該電線１００の直径未満とすることができ、より好ましくは、同じ層内で隣接する２つの電線１００のうち、一方の電線１００の突出部１５４を、他方の電線１００の平滑部１５２に当接させることができる。これにより、電線１００の段落ちを抑制することができる。また、隣接する電線１００同士が可能な限り接近することで、ドラム２００に巻き付け可能な電線１００の全長を長くすることができる。
【０１２０】
（ｃ）上記のように、同じ層内で隣接する電線１００の突出部１５４同士が互いに接触することがないように、各層ごとの層間材３００の厚さを設定することで、層間材３００の使用量を必要最小限に抑えることができる。その結果、層間材３００に係る材料費を削減することができる。
【０１２１】
（ｄ）例えば、式（２）および（３）を満たすように、ドラム２００の胴体部２２０の直径ＤＤや層間材３００の厚さｔｎを設定することで、同じ層内で隣接する電線１００の突出部１５４同士が接触し、且つ、該電線１００同士の間隔が突出部１５４の高さｈと一致する位置から、該電線１００の突出部１５４同士を互いに遠ざけることができる。その結果、同じ層内で隣接する電線１００の突出部１５４同士が接触することを抑制することができる。
【０１２２】
（ｅ）例えば、式（５）および（６）を満たすように、ドラム２００の胴体部２２０の直径ＤＤや層間材３００の厚さｔｎを設定することで、同じ層内で隣接する２つの電線１００のうちの一方の電線１００の突出部１５４が他方の電線１００側に突出する領域と、他方の電線１００の突出部１５４が一方の電線１００側に突出する領域と、が互いに重ならないように、電線１００同士を軸方向にずらすことができる。その結果、同じ層内で隣接する電線１００の突出部１５４同士が接触することをより確実に抑制することができる。
【０１２３】
＜本発明の他の実施形態＞
以上、本発明の実施形態について具体的に説明したが、本発明は上述の実施形態に限定されるものではなく、その要旨を逸脱しない範囲で種々変更可能である。
【０１２４】
上述の実施形態では、突出部１５４の断面形状が正方形である場合について説明したが、突出部の断面形状は、長方形、多角形、半円形、半楕円形などであってもよい。この場合、最小ズレ角度θＡ０および臨界角度θＣを、突出部の断面形状に応じて上述の実施形態での最小ズレ角度θＡ０および臨界角度θＣから変更する必要がある。
【実施例】
【０１２５】
次に、本発明に係る実施例を説明する。これらの実施例は本発明の一例であって、本発明はこれらの実施例により限定されない。
【０１２６】
（１）電線の準備
以下の表１に示す電線を製造した。
【０１２７】
【表１】
2018047994.tif 000027
【０１２８】
なお、表１で示す電線において、突出部の断面形状を正方形とした。また、表１において、上記電線の仕様に基づいてｒおよびｈを式（８）に代入し、ニュートン近似法を用いて臨界角度θＣを求めた。また、表１において、上記電線の仕様に基づいてｒおよびｈを式（２３）に代入し、ニュートン近似法を用いて最小ズレ角度θＡ０を求めた。
【０１２９】
（２）条件設定
表１より、最小ズレ角度θＡ０が０．９１１（ｒａｄ）であることから、同じ層内で隣接する電線の突出部同士が互いに接触するときの端数Ｆｎ−Ｉｎｔ（Ｆｎ）の範囲を、式（２５）に最小ズレ角度θＡ０を代入することにより、以下の式（２５）’として求めた。
０．３５５≦Ｆｎ−Ｉｎｔ（Ｆｎ）≦０．６４５  ・・・（２５）’
【０１３０】
また、同じ層内で隣接する電線の突出部同士が互いに接触することを抑制する条件を、式（２）および（３）に最小ズレ角度θＡ０を代入することにより、以下の式（２）’および（３）’として求めた。
０≦Ｆｎ−Ｉｎｔ（Ｆｎ）＜０．３５５  ・・・（２）’
０．６４５＜Ｆｎ−Ｉｎｔ（Ｆｎ）＜１  ・・・（３）’
【０１３１】
そして、実施例として、以下の表２に示すように、ドラムの胴体部の直径ＤＤを８００ｍｍとし、上記電線を６層に亘って巻回することとし、各層間に挿入する層間材の厚さを設定した。
【０１３２】
【表２】
2018047994.tif 000028
【０１３３】
（３）ドラムへの電線巻き取り
実施例として、上記表２に示した条件設定にしたがって、電線の層間に層間材を挿入しつつ、ドラムの胴体部の外周に電線を６層に亘って巻き取った。
【０１３４】
一方で、比較例として、以下の表３に示すように、ドラムの胴体部の外周に電線を６層に亘って巻き取った。このとき、ドラムの胴体部の直径ＤＤを実施例と同じく８００ｍｍとし、各層間に層間材を挿入しなかった。
【０１３５】
【表３】
2018047994.tif 000029
【０１３６】
（４）結果
比較例では、表３に示すように、第２層ＬＬ２についての端数Ｆｎ−Ｉｎｔ（Ｆｎ）が上記式（２５）’の範囲内に入っており、同じ層内で隣接する電線の突出部同士が互いに接触していた。このため、比較例では、第２層ＬＬ２において電線の突出部同士が互いに接触した部分で損傷が生じていた。
【０１３７】
これに対して、実施例では、表２に示すように、全てのｎ層について、端数Ｆｎ−Ｉｎｔ（Ｆｎ）が式（２）’および（３）’を満たしており、同じ層内で隣接する電線の突出部同士が互いに接触していないことを確認した。さらに、実施例のドラムから電線を引き出したところ、電線がドラムの軸方向にずれることがあったものの、同じ層内で隣接する電線の突出部同士が互いに接触することを抑制することができ、引き出した電線において損傷の発生を抑制することができたことを確認した。
【０１３８】
＜本発明の好ましい態様＞
以下、本発明の好ましい態様を付記する。
【０１３９】
（付記１）
複数の素線が撚り合わせられて設けられる撚線層を有し、前記撚線層は、前記複数の素線の外周面によって断面円弧状に構成される平滑部と、前記複数の素線のうちの１つの素線に設けられ、前記平滑部の外側に前記素線の径方向に突出し、前記素線の軸方向に沿って螺旋状に連続して設けられる突出部と、を有する電線と、
前記電線が複数層に亘って巻回される円筒状の胴体部を有するドラムと、
前記電線の層間に挿入される層間材と、を有し、
同じ層内で隣接する前記電線の前記突出部同士が互いに接触することがないように、前記胴体部の直径および前記層間材の厚さが設定される電線巻き付きドラム。
【０１４０】
（付記２）
前記突出部を含めた前記電線の直径をｄｈ、
前記突出部が前記平滑部の外側に前記素線の径方向に突出する高さをｈ、
前記電線の軸方向における１周期分の前記突出部のピッチをｐ、
前記胴体部の直径をＤＤ、
前記電線の層数をｎ、
ｎ層の前記電線の層下に挿入される前記層間材の厚さをｔｎ、
前記電線を断面視したときの、前記電線の基準の径方向と前記電線の中心から前記突出部の中心に向かう方向とのなす角度をθ、
同じ層内で隣接する２つの前記電線の前記突出部同士が互いに正対する位置から、同じ層内で隣接する２つの前記電線のうちの一方の前記電線の前記突出部が他方の前記電線側に最も突出する位置までの、前記一方の電線の前記突出部が変位した前記角度θを前記突出部のズレ角度θＡ、
同じ層内で隣接する前記電線の前記突出部同士が接触し且つ該電線同士の間隔が前記突出部の高さｈと一致するときの前記ズレ角度θＡを最小ズレ角度θＡ０としたとき、
式（１）によって求められる、前記突出部のピッチｐに対する、ｎ層の前記電線が前記胴体部に巻回されるときの周長の比率Ｆｎが、全てのｎ層について、式（２）および式（３）を満たす付記１に記載の電線巻き付きドラム。
【０１４１】
【数２５】
2018047994.tif 000030
【０１４２】
【数２６】
2018047994.tif 000031
【０１４３】
【数２７】
2018047994.tif 000032
【０１４４】
（付記３）
前記突出部の高さｈは、前記素線の周方向の前記突出部の幅と等しく、
前記電線の前記平滑部の半径をｒとしたとき、
前記最小ズレ角度θＡ０は、式（４）によって求められる付記２に記載の電線巻き付きドラム。
【０１４５】
【数２８】
2018047994.tif 000033
【０１４６】
（付記４）
前記電線を断面視したときに、前記電線の中心から前記電線の基準の径方向に延在する直線に前記突出部の角部を投影した点と前記電線の中心との間の距離が前記電線の半径と一致するときの、前記角度θを臨界角度θＣとしたとき、
前記比率Ｆｎが、全てのｎ層について、式（５）および式（６）を満たす付記２又は３に記載の電線巻き付きドラム。
【０１４７】
【数２９】
2018047994.tif 000034
【０１４８】
【数３０】
2018047994.tif 000035
【０１４９】
（付記５）
同じ層内で隣接する前記電線同士の間隔は、該電線の直径未満である付記１〜４のいずれかに記載の電線巻き付きドラム。
【０１５０】
（付記６）
同じ層内で隣接する２つの前記電線のうちの一方の前記電線の前記突出部は、他方の前記電線の前記平滑部に当接する付記１〜５のいずれかに記載の電線巻き付きドラム。
【０１５１】
（付記７）
複数の素線が撚り合わせられて設けられる撚線層を有し、前記撚線層は、前記複数の素線の外周面によって断面円弧状に構成される平滑部と、前記複数の素線の１つに設けられ、前記平滑部の外側に前記素線の径方向に突出し、前記素線の軸方向に沿って螺旋状に連続して設けられる突出部と、を有する電線を、ドラムの胴体部の外周に巻き取るドラムへの電線巻き取り方法であって、
前記電線の層間に層間材を挿入しつつ、前記胴体部の外周に前記電線を複数層に亘って巻回する工程を有し、
同じ層内で隣接する前記電線の前記突出部同士が互いに接触することがないように、前記胴体部の直径および前記層間材の厚さを設定するドラムへの電線巻き取り方法。
【符号の説明】
【０１５２】
１０  電線巻き付きドラム
１００  電線
１１０  鋼心部
１２０  心線
１３０  撚線層
１４０，１４０ａ  素線
１４１  内周面
１４２  外周面
１４３  側面
１５２  平滑部
１５４  突出部
２００  ドラム
２２０  胴体部
３００  層間材
【図１】
2018047994.tif 000042
【図２】
2018047994.tif 000043
【図３】
2018047994.tif 000044
【図４】
2018047994.tif 000045
【図５】
2018047994.tif 000046
【図６】
2018047994.tif 000047
【図７】
2018047994.tif 000048